(57)【要約】【課題】脱穀選別装置の選別性能を向上させることを目的とする。【解決手段】略密閉空間となされた脱穀選別室ａ内の前下部に吹出しファン２５を、そして該吹出ファン２５よりも上方の後部に吸引ファン１０を設け、これら吹出しファン２５と吸引ファン１０との間に揺動選別盤７を配設されたコンバインなどの脱穀選別装置において、前記吹出しファン２５の回転翼２５ａの回転中心Ｏ２と、前記吸引ファン１０の回転翼１０ｃの回転中心Ｏ１を結んだものであるやや後上がり傾斜状の仮想直線２８に対し、前記吹出しファン２５の風送出口２５ｂの方向、及び、前記揺動選別盤７の精選用グレンシーブ１２の選別面のそれぞれを平行に配置するほか、前記精選用グレンシーブ１２を、前記風送出口２５ｂの上案内面２６と下案内面２７のそれぞれの仮想延長面２６ａ、２７ａ間の略中間位置に位置させた構成である。【選択図】        図４
2004194517.tif 000002
【特許請求の範囲】
【請求項１】
扱室の下方から後方の排塵室内へ延出して前後方向に揺動し、扱室の受網からの漏下物と、扱室から後側へ脱穀後の排藁と共に排出され落下する穀粒などの選別対象物を受けて選別する揺動選別板を備え、該揺動選別板は、前方側からグレンパンとグレンシ−ブを架設し、このグレンシ−ブの上方にチャフシ−ブを配設し、前記チャフシ−ブの後側にストロ−ラックを設け、これらが一体となって揺動するように構成されており、前記揺動選別板の前部の下側に吹出しファンを、そして該吹出ファンよりも上方の後部に吸引ファンを設け、これら吹出しファンと吸引ファンとの間に前記揺動選別板を配設されたコンバインなどの脱穀選別装置において、前記吹出しファンの回転翼の回転中心と、前記吸引ファンの回転翼の回転中心を結んだ傾斜状の仮想直線に対し、前記吹出しファンの風送出口の方向、及び、前記揺動選別板の精選用グレンシーブの選別面のそれぞれを平行に配置するほか、前記精選用グレンシーブを、前記風送出口の上案内面と下案内面のそれぞれの仮想延長面間の略中間位置に位置させたことを特徴とするコンバインなどの脱穀選別装置における選別部構造。
【請求項２】
精選用グレンシーブの前部上方に粗選用グレンシーブを設け該粗選用グレンシーブの選別面を前記風送出口の上案内面の仮想延長面に略合致させたことを特徴とする請求項１記載のコンバインなどの脱穀選別装置における選別部構造。
【請求項３】
前記揺動選別板の後部上面に形成されたストローラックの処理面の終端部が前記仮想直線部よりも上側へ上昇しないようになされていることを特徴とする請求項１又は２記載のコンバインなどの脱穀選別装置における選別部構造。
【請求項４】
前記風送出口の上案内面と下案内面との中間位置よりも低い位置に位置された風向部材を設け、該風向部材の上面は概ね前記仮想直線方向へ向けられ側面視円弧状となされた案内面となされ、該風向部材の下面は前記仮想直線方向よりも僅かに緩やかな傾斜角度の案内面となされていることを特徴とする請求項１、２又は３記載のコンバインなどの脱穀選別装置における選別部構造。
【請求項５】
前記揺動選別板が前記精選用グレンシーブの上方に形成されたチャフシーブを具備し且つ該チャフシーブの後側にストローラックを形成されたものとなされており、前記風送出口の下案内面と風向部材の下側の案内面との間から吹き出された選別風が前記グレンシーブの下側から比較的大きな後上がり傾斜角度で前記グレンシーブの後部周辺及び前記チャフシーブの後部周辺を通り抜けて前記チャフシーブ上に到達するように流動する構成を特徴とする請求項４記載のコンバインなどの脱穀選別装置における選別部構造。
【発明の詳細な説明】
【０００１】
【発明の属する技術分野】
本発明は、コンバインなどに搭載される脱穀選別装置における選別部構造に関する。
【０００２】
【従来の技術】
箱状の略密閉空間内の前下部に吹出しファンを、そして該吹出ファンよりも少し上方の後部に吸引ファンを設け、これら吹出しファンと吸引ファンとの間に揺動選別盤を配設された構成の選別部を備えたコンバインなどの脱穀選別装置は存在している（特許文献１参照）。
【０００３】
【特許文献１】
特開平１０−１２７１５１号公報
【０００４】
【発明が解決しようとする課題】
上記した従来の選別部は、吹出しファンと吸引ファンとを設けた構造であるため効率的な選別が行えるものであるが、さらに選別能力を向上させることが要望されるのであり、本発明は斯かる要望に応じ得るものとしたコンバインなどの脱穀選別装置における選別部構造を提供することを目的とする。
【０００５】
【課題を解決するための手段】
上記目的を達成するため、本発明は、請求項１に記載したように、扱室の下方から後方の排塵室内へ延出して前後方向に揺動し、扱室の受網からの漏下物と、扱室から後側へ脱穀後の排藁と共に排出され落下する穀粒などの選別対象物を受けて選別する揺動選別板を備え、該揺動選別板は、前方側からグレンパンとグレンシ−ブを架設し、このグレンシ−ブの上方にチャフシ−ブを配設し、前記チャフシ−ブの後側にストロ−ラックを設け、これらが一体となって揺動するように構成されており、前記揺動選別板の前部の下側に吹出しファンを、そして該吹出ファンよりも上方の後部に吸引ファンを設け、これら吹出しファンと吸引ファンとの間に前記揺動選別板を配設されたコンバインなどの脱穀選別装置において、前記吹出しファンの回転翼の回転中心と、前記吸引ファンの回転翼の回転中心を結んだ傾斜状の仮想直線に対し、前記吹出しファンの風送出口の方向、及び、前記揺動選別板の精選用グレンシーブの選別面のそれぞれを平行に配置するほか、前記精選用グレンシーブを、前記風送出口の上案内面と下案内面のそれぞれの仮想延長面間の略中間位置に位置させた構成のものである。
【０００６】
この発明によれば、前記吹出しファンがその風送出口から前記仮想直線方向へ向けて選別風を送出するのであり、該選別風の大部分が精選用グレンシーブの選別面の上下近傍を通過し吸引ファンにより脱穀選別室の外方へ流出するものとなる。また精選用グレンシーブの選別面は前記仮想直線と略平行となされているため、前記選別風の流動を阻害することの生じ難いものになると共に前記選別風が精粒の漏下を妨げる傾向の生じ難いものとなって能率的且つ高精度な精選性能を実現させるものとなる。
【０００７】
上記発明は次のように具体化する。
即ち、請求項２に記載したように、精選用グレンシーブの前部上方に粗選用グレンシーブを設け、該粗選用グレンシーブの選別面を前記風送出口の上案内面の仮想延長面に略合致させた構成となす。これによれば、前記粗選用グレンシーブが前記選別風の流動を妨げる傾向の少ないものとなって風選性能を向上させ、また該粗選用グレンシーブによる選別が前記精選用グレンシーブによる精選作用を向上させるものとなる。
【０００８】
また請求項３に記載したように、前記揺動選別板の後部上面に形成されたストローラックの処理面の終端部（最上位置ｐ）が前記仮想直線部よりも上側へ上昇しないようになされている構成となす。これによれば、前記ストローラックの処理面上の藁くずなどが前記選別風の強い流動中に位置するようになり、従って前記吸引ファンは前記ストローラックの処理面上の藁くずなどを効果的に吸引して機外へ排出するようになる。
【０００９】
また請求項４に記載したように、前記風送出口の上案内面と下案内面との中間位置よりも低い位置に位置された風向部材を設け、該風向部材の上面は概ね前記仮想直線方向へ向けられ側面視円弧状となされた案内面となされ、該風向部材の下面は前記仮想直線方向よりも僅かに緩やかな傾斜角度の案内面となされている構成となす。これによれば、前記風送出口の上案内面と前記風向部材の上面との間から送出された選別風がその流動方向の一様性を大きく乱されることなく前記精選用グレンシーブの選別面の上下近傍を通過するようになり、また前記風送出口の下案内面と前記風向部材の下面との間から送出された選別風が前記仮想直線よりも緩やかな後上がり傾斜方向へ流動するようになって前記精選用グレンシーブの下方の一番樋内に落下しようとする塵埃を吸引ファンへ向けて流動させるものとなる。
【００１０】
さらには請求項５に記載したように、前記揺動選別板が前記精選用グレンシーブの上方に形成されたチャフシーブを具備し且つ該チャフシーブの後側にストローラックを形成されたものとなされており、前記風送出口の下案内面と風向部材の下側の案内面との間から吹き出された選別風が前記グレンシーブの下側から比較的大きな後上がり傾斜角度で前記グレンシーブの後部周辺及び前記チャフシーブの後部周辺を通り抜けて前記チャフシーブ上に到達するように流動する構成となす。これによれば、前記風送出口の下案内面と前記風向部材の下面との間から送出された選別風が前記グレンシーブの後部周辺の塵埃や、前記チャフシーブの後部の藁くずなどを効果的に吹き上げ前記吸引ファンへ向けて流動させるようになる。
【００１１】
【発明の実施の形態】
次に本発明の実施の形態を説明する。図１は本発明の脱穀選別装置を搭載したコンバインの全体側面図、図２は同じく本発明の脱穀選別装置を搭載したコンバインの平面図、図３は本発明の脱穀選別装置の側面断面図、図４は本発明の脱穀選別装置の選別部周辺の側面断面図、図５は本発明の脱穀選別装置の選別部周辺をさらに拡大した側面断面図である。
【００１２】
図１及び図２において、コンバインの概要を説明する。コンバインはクローラ式走行装置１により走行する。該クローラ式走行装置１の上部の先端位置に刈取部２を配置している。該刈取部２により刈り取った穀稈は穀稈搬送装置３により、脱穀選別装置４のフィードチェーン５に受け継がれ、該フィードチェーン５に株元部を挟持された状態で、その穂先部をフィードチェーン５の内側の扱室ａ１の内方に配設された扱胴６の外周に当接されつつ通過される。
【００１３】
ここに、穀稈搬送装置３は穀稈の株元を挟持搬送する株元搬送部３ａと、穀稈の穂先側を搬送する上側搬送部３ｂとからなっている。また脱穀選別装置４は周囲を略密状に包囲された箱形のケーシングを備え、これの内部である脱穀選別室ａ内の前寄り上部に脱穀部４Ａを、そして下部に選別部４Ｂを形成されている。フィードチェーン５は後上がり状の斜めに配置され、穀稈が徐々に持ち上げなから扱胴６と接触して脱粒されるべく構成されている。
【００１４】
脱穀部４Ａに達した穀稈は扱室ａ１内において扱胴６により脱粒されて単粒化されるのであり、該単粒化された穀粒や藁くずなどの選別対象物が受網ａ２を漏下して選別部４Ｂの一部である揺動選別板７に至るのである。扱胴６により脱穀された後の穀稈は排藁となり、該排藁はフィードチェーン５に搬送されて脱穀部４Ａの後方の選別処理室ａ３の上部に排出され、ここで、排藁内に混じって該排藁と一緒に運び出された穀粒などの選別対象物が揺動選別板７上に落下する。この後、排藁は排藁搬送チェーン８により後方へ搬送され、排藁カッタ機構９に供給される。
選別部４Ｂの一部をなす吸引ファン１０は、該排藁カッタ機構９の前部で揺動選別板７の真後ろに、揺動選別板７の幅と略同等程度の幅となされて配置されている。
【００１５】
前記脱穀部４Ａで脱粒され、図３に示す揺動選別板７の粗選用グレンシーブ１１と精選用グレンシーブ１２などで選別された精粒は、一番コンベア１３ａにより右側方に搬送され、図２に示す揚穀コンベア１４により、グレンタンク１５内に貯留される。該グレンタンク１５内に貯留された穀粒が搬出される場合には、グレンタンク１５下端の搬出コンベア１６により後方へ搬出されて、垂直コンベア１７により再度揚穀されて、横向き搭載コンベア１８により、トラックや搬送装置の荷台に移送される。グレンタンク１５の前部にエンジン１９が配置されており、該エンジン１９の上側に座席２０が配置され、該座席２０の前部に操作コラム２１が配置されている。
【００１６】
次に図３〜図５において、選別部４Ｂの全体構成を説明する。扱胴６の下方に、前後にわたり長い揺動選別板７が配置されている。該揺動選別板７は、前部のグレンパン２２と、多数のフィン２３ａからなる中央部のチャフシーブ２３と、波形鈎を有する複数の前後向き板部材２４ａからなるストロラック２４などの組合せにより構成されている。チャフシーブ２３の後寄り下方でストロラック２４の前部下方に、前記した粗選用グレンシーブ１１と精選用グレンシーブ１２が配置されている。
【００１７】
該揺動選別板７の底面で粗選用グレンシーブ１１及び精選用グレンシーブ１２の下側箇所ｂ１やストローラック２４の下側箇所ｂ２は開口されており、チャフシーブ２２や粗選用グレンシーブ１１及び精選用グレンシーブ１２から落下する精粒や粃（しいな）などが、唐箕式の吹出しファン２５からの選別風により風選されて、一番コンベア１３ａ箇所と二番コンベア１３ｂ箇所との二箇所に分別される。該吹出しファン２５からの選別風により飛ばされた排藁付きの穀粒が、粗選用グレンシーブ１１や精選用グレンシーブ１２の上に載置されることもあり、またチャフシーブ２３の後部位置で落下した藁くず付きの精粒や粃などが、粗選用グレンシーブ１１や精選用グレンシーブ１２の上に落下して選別されることもある。二番コンベア１３ｂ箇所に落下した藁くずや粃などは、２番還元装置により、脱穀部４Ａの扱胴６箇所に送り返される。
【００１８】
またストロラック２４の上面である処理面の上にある藁くずや塵埃などを、脱穀選別装置４の機体外に排出すべく構成しているのであって、具体的には揺動選別板７などが配置された脱穀選別装置４の内部を、吸引ファン１０による藁くずや塵埃などの吸引排出作用を向上させるように構成している。そして、前記吸引ファン１０の吸引風量は、吹出しファン２５から吐出される選別風量より多くなるように設定されている。
【００１９】
実際には、フィードチェーン５と扱胴６の間の、穀稈の挿入部分が開口されており、完全な密閉構造とはならないが、その他の部分からの空気の吸引は不可能として、出来るだけ吸引ファン１０の部分から選別風が吸引されて外部に排出されるように構成しているのである。
【００２０】
そして、揺動選別板７の後部に配置する吸引ファン１０の幅を、揺動選別板７の幅と略等しいか、やや狭い幅に構成しているのである。またファンケーシング１０ａは、ブロワーファンにより構成した吸引ファン１０の吸引空気を排出する排出口１０ｂを、クローラ式走行装置１の後下方に向けて開口している。
揺動選別板７の幅と、吸引ファン１０の幅を前述の如く、略等しいか、後者幅の方がやや狭い幅として、揺動選別板７の全幅にわたり、吸引ファン１０の吸引作用の効果を及ぼすように構成している。
【００２１】
前記吸引ファン１０と、揺動選別板７のストロラック２４の後端部との間隙はできるだけ小としており、また前記吸引ファン１０の回転翼１０ｃの回転中心Ｏ１は、上記ストロラック２４の後端部の最上個所（処理面の終端部）ｐが揺動選別板７の揺動運動の上死点に対応する位置に変位したときの位置（図３中の位置）よりも特定長さ（例えば数ｃｍ）ｅだけ高い位置となされており、且つ、ストロラック２４の後端部の最上個所ｐが揺動選別板７の揺動運動の下死点に対応する位置に位置したときに該ストロラック２４の後端部の最上個所ｐが前記回転中心Ｏ１よりもＨ／２だけ低い位置の近傍に位置するような相対配置となされている。ここに、Ｈは回転翼１０ｃの半径であって、前記長さｅよりも充分に大きく設定してある。
【００２２】
チャフシーブ２３の後寄り部とストロラック２４の前端との間箇所の下方に前記粗選用グレンシーブ１１及び精選用グレンンーブ１２が配設されている。そして粗選用グレンシーブ１１はグレンパン２２の後端に連続して形成されると共に、比較的大きな網目を有する平面状のふるい網で選別面を形成されるほか、前後方向の長さを比較的短くなされている。精選用グレンンーブ１２は粗選用グレンシーブ１１よりも下方に離間して配置されており、比較的小さな網目を有する平面状のふるい網で選別面を形成され、前後方向の長さを比較的長くなされている。
【００２３】
前記吹出しファン２５は図３中で反時計回り方向へ回転駆動される回転翼２５ａを備えており、該回転翼２５ａの回転中心Ｏ２は吸引ファン１０の回転翼１０ｃの回転中心Ｏ１よりも低い位置となされている。該吹出しファン２５は図４に示すように回転翼２５ａの後側に揺動選別板７の左右巾に略合致するかそれよりも大きな左右巾となされた風送出口２５ｂを形成されている。該風送出口２５ｂは上案内面２６と下案内面２７と左右の側面で形成されており、その全体的な向きを回転中心Ｏ１と回転中心Ｏ２とを結んで形成されるやや後上がり傾斜状の仮想直線２８に対して正確な平行に或いは概略平行になされており、具体的には上案内面２６と下案内面２７のそれぞれは左右方向が水平で前後方向が前記仮想直線２８に平行となるように位置決めされている。
【００２４】
該風送出口２５ｂの上案内面２６と下案内面２７との中間位置よりも低い位置には風向部材２９が設けてあり、図５に示すように、該風向部材２９の上面は概ね前記仮想直線２８方向へ向けられ側面視円弧状となされた案内面２９ａとなされ、また該風向部材２９の下面は前記仮想直線２８方向よりも僅かに緩やかな傾斜角度の案内面２９ｂとなされている。
【００２５】
次に該風送出口２５ｂと、仮想直線２８と、揺動選別盤７の各部との関係について図５を参照して説明する。精選用グレンシーブ１２はその選別面を前記仮想直線２８に略平行に配置されると共に風送出口２５ｂの上案内面２６と下案内面２７のそれぞれの仮想延長面２６ａ、２７ａ間の略中間位置に位置されている。そして、粗選用グレンシーブ１１はその選別面を風送出口２５ｂの上案内面２６の仮想延長面２６ａに略合致されるのであって、厳密には仮想延長面２６ａよりも僅かに緩やかな後上がり傾斜となされている。また揺動選別板７は後上がり傾斜方向ｆ０に沿って揺動されるものであるが、該揺動選別板７のストローラック２４の処理面最上個所ｐの移動軌跡ｋの最上位置ｐ１が前記仮想直線２８よりも上側へ上昇しないようになされている。
【００２６】
選別部４Ｂの底面で風送出口２５ｂの後側には一番コンベア１３ａを配置された一番樋３０が形成され、また該一番樋３０の後側には二番コンベア１３ｂを配置された二番樋３１が形成されている。一番樋３０は粗選用グレンシーブ１１及び精選用グレンシーブ１２の下方に位置され、また二番樋３１はストローラック２４の下方に位置されている。一番樋３０と二番樋３１の間には前下がり状の流穀板部３０ａと後下がり状の流穀板部３１ａからなる隆起境界部３３が形成されており、該境界部３３と、揺動選別盤７のリターンパン部３４との間の隙間はリターンパン部３４に固定されたものであるところの、前下がり状のゴム板３５ａと後下がり状のゴム板３５ｂとで密状に閉鎖されている。
【００２７】
次に上記選別部４Ｂの詳細な作用を説明する。吹出しファン２５の回転翼２５ａが回転すると、風送出口２５ｂから選別風が後側へ向けて吹き出されるのであり、このとき、上案内面２６、下案内面２７及び風向部材２９が該選別風を仮想直線２８に沿わせるように案内する。風送出口２５ｂから吹き出された選別風の大部分が上案内面２６と、風向部材２９の上側の案内面２９ａとの間を通過して精選用グレンシーブ１２に到達するのであり、続いてその過半割合分が粗選用グレンシーブ１１と精選用グレンシーブ１２との相互間の領域を仮想直線２８に沿って矢印方向ｆ１へ通過し、この過程で該領域に位置する処理物に含まれる藁くずや塵埃を吸引ファン１０へ向けて流動させるように作用し、また前記過半割合分を除いた分が精選用グレンシーブ１２の下側を仮想直線２８に沿って矢印方向ｆ２へ通過し、この過程で、該精選用グレンシーブ１２でふるい選別されて漏下する比較的小さい藁くずや塵埃を吸引ファン１０へ向けて流動させるように作用する。
【００２８】
この際、風向部材２９の円弧状となされた上側の案内面２９ａは上案内面２６と風向部材２９の上側の案内面２９ａとの間を通過する選別風の流線ｆ３の乱れを抑制する上で寄与する。また粗選用グレンシーブ１１の選別面が仮想直線２８の傾斜よりも僅かに緩やかとなされていることは、粗選用グレンシーブ１１と精選用グレンシーブ１２との間を仮想直線２８に沿って矢印方向ｆ１へ通過する選別風が粗選用グレンシーブ１１の網目を上側へ通過する現象を、該選別風の流動を大きく乱すことなく生成させて、粗選用グレンシーブ１１上に位置した藁くずや塵埃の選別風による選別除去を効果的となす。
【００２９】
一方、風送出口２５ｂから吹き出された選別風の小部分が、下案内面２７と風向部材２９の下側の案内面２９ｂとの間を矢印方向ｆ４へ通過して一番コンベア１３ａ近傍の上側に到達し、続いて流穀板部３０ａ及びリターンパン部３４により流動方向を変化されて仮想直線２８よりも大きな後上がり傾斜角度の矢印方向ｆ５へ向かい、精選用グレンシーブ１２の後部やチャフシーブ２３の後部の空隙を通過するように流動し、さらにストローラック２４の処理面上を該処理面に沿うように流動し吸引ファン１０により機外へ吸引排出されるものとなる。
【００３０】
これにより精選用グレンシーブ１２の選別面上の後部に存在する藁くずや塵埃などのうち比較的重いものは、精選用グレンシーブ１２の揺動送り作用のほか矢印方向ｆ５へ流動する選別風による上向き力及び矢印方向ｆ１の選別風による後方送り作用を受けて円滑に二番樋３１内に落下するものとなり、比較的軽いものは矢印方向ｆ５へ流動する選別風や矢印方向ｆ１の選別風によりチャフシーブ２３やストローラック２４の空隙を通過して吸引ファン１０まで移動され該ファン１０により機外へ吸引排出される。またチャフシーブ２３の上面の後部に存在する藁くずや切れ穂や塵埃などのうち比較的重いものは、チャフシーブ２３の揺動送り作用のほか矢印方向ｆ５へ流動する選別風の上向き力及び矢印方向ｆ１の選別風による後方送り作用などを受けて円滑に二番樋内に落下するものとなり、比較的軽いものは矢印方向ｆ１へ流動する選別風や矢印方向ｆ５の選別風などによりチャフシーブ２３を通過して吸引ファン１０まで移動され該ファン１０により機外へ吸引排出される。
【００３１】
ストローラック２４の上面には比較的大きな藁くずが存在するようになるが、該藁くずはストローラック２４の揺動送り作用などにより漸次に後方へ送り移動され、吸引ファン１０の吸引口近傍に到達し該ファン１０により機外へ吸引排出されるのであり、該藁くずに含まれる穀粒などはストローラック２４の隙間を通じて二番樋３１内に落下し、また該藁くずに含まれる比較的軽い塵埃などは矢印方向ｆ１、ｆ５の選別風などにより吸引ファン１０まで運ばれ、該ファン１０により機外へ吸引排出される。
【００３２】
このような処理において、ストローラック２４の処理面最上個所ｐの移動軌跡ｋの最上位置ｐ１が仮想直線２８よりも上側へ上昇しないようになされていることは、ストローラック２４上を揺動送りされている藁くずなどに矢印方向ｆ１、ｆ５の選別風などが効果的に当たることを可能となし、該藁くずなどの後方送りを能率的となす。
【００３３】
動力伝達系統について図２を参照して説明すると、エンジンの１９回転はトランスミッション３６を経てクローラ式走行装置１に伝達され、一方では脱穀選別装置４及び刈取部２のほか搬出コンベア１６などに伝達される。そして脱穀選別装置４では吹出しファン２５、フィードチェン５、扱胴６、排藁搬送チェーン８、一番コンベア１３ａ、二番コンベア１３ｂ及び吸引ファン１０に伝達され、また刈取部２では穀稈搬送装置３、穀稈掻込み装置３７、刈刃３８及び穀稈引起こし装置３９に伝達される。
【００３４】
【発明の効果】
本発明は以上の如く構成したので、次のような効果を得ることができる。
請求項１に記載のものによれば、精選用グレンシーブ１２に効果的に選別風を到達させることができると共に、精選用グレンシーブ１２が選別風の流動を妨げることの生じ難いものとなすことができて、精選用グレンシーブ１２による選別を能率的且つ高精度に行わせることができる。
【００３５】
請求項２に記載のものによれば、粗選用グレンシーブ１１が選別風の流動を妨げることの生じ難いものとなすことができて風選性能を向上させることができ、また粗選用グレンシーブ１１による予めの粗選作用により精選用グレンシーブ１２による精選能力を向上させることができる。
【００３６】
請求項３に記載したものによれば、ストローラック２４の処理面上の藁くずなどが選別風の強い流動中に位置するようになり、従ってストローラック２４の処理面上の藁くずなどを吸引ファン１０へ向けて強力に移動させ該ファン１０により効果的に吸引させて機外へ排出させることができる。
【００３７】
請求項４に記載したものによれば、吹出しファン２５の風送出口２５ｂの上案内面２６と風向部材２９の上側の案内面２９ａとの間から送出された選別風を、その流動方向の一様性を大きく乱すことなく、精選用グレンシーブ１２の上下近傍を通過させることができ、また風送出口２５ｂの下案内面２７と風向部材２９の下側の案内面２９ｂとの間から送出された選別風を仮想直線２８よりも緩やかな後上がり傾斜方向へ流動させて一番コンベア１３ａ近傍の上側に導くことができるため、精選用グレンシーブ１２の下方の一番樋３０内に落下しようとする塵埃などを効果的に吸引ファン１０へ向けて流動させることができる。
【００３８】
請求項５に記載したものによれば、吹出しファン２５の風送出口２５ａの下案内面２７と風向部材２９の下側の案内面２９ｂとの間から送出された選別風が精選用グレンシーブ２９の後部周辺の藁くずなどや、チャフシーブ３４の後部の藁くずなどに効果的な上向き力を付与するものとなり、これら藁くずなどを吸引ファン１０へ向けて円滑に流動させることができる。
【図面の簡単な説明】
【図１】本発明の脱穀選別装置を搭載したコンバインの全体側面図である。
【図２】同じく本発明の脱穀選別装置を搭載したコンバインの平面図である。
【図３】本発明の脱穀選別装置の側面断面図である。
【図４】本発明の脱穀選別装置の選別部周辺の側面断面図である。
【図５】本発明の脱穀選別装置の選別部周辺をさらに拡大した側面断面図である。
【符号の説明】
４  脱穀選別装置
４Ｂ  選別部
７  揺動選別盤
１０  吸引ファン
１０ｃ  回転翼
１１  粗選用グレンシーブ
１２  精選用グレンシーブ
２３  チャフシーブ
２４  ストローラック
２５  吹出しファン
２５ａ  回転翼
２５ｂ  風送出口
２６  上案内面
２６ａ  仮想延長面
２７  下案内面
２７ａ  仮想延長面
２８  仮想直線
２９  風向部材
２９ａ  案内面
２９ｂ  案内面
Ｏ１  回転中心
Ｏ２  回転中心
ａ  脱穀選別室
ａ１  扱室
ａ２  受網
ｋ  移動軌跡
ｐ  最上個所
ｐ１  最上位置
【図１】
2004194517.tif 000003
【図２】
2004194517.tif 000004
【図３】
2004194517.tif 000005
【図４】
2004194517.tif 000006
【図５】
2004194517.tif 000007